【手続補正書】
【提出日】平成27年12月7日(2015.12.7)
【手続補正１】
【補正対象書類名】明細書
【補正対象項目名】００１１
【補正方法】変更
【補正の内容】
【００１１】
上記目的を達成するために、請求項１の電子機器は、他の電子機器と通信可能な電子機器であって、前記電子機器で使用可能な電力の上限を示す上限電力値を設定する設定手段と、要求された処理を前記電子機器が実行したときの予想最大消費電力が、前記設定手段によって設定された前記上限電力値を超える場合に、前記他の電子機器から、前記要求された処理の実行に要する電力を借り受けて前記上限電力値を変更する変更手段と、前記変更手段によって変更された前記上限電力値の範囲で、前記要求された処理を実行する実行手段と、を備えたことを特徴とする。
【手続補正２】
【補正対象書類名】明細書
【補正対象項目名】００２２
【補正方法】変更
【補正の内容】
【００２２】
デバイスコントローラ１０８は、プリントエンジン１０９、スキャンエンジン１１０、及びファックスエンジン１１１を制御する。ディスクコントローラ１１２は、プログラムファイルやデータファイルなどを記憶するＳＳＤ（Solid State Drive）１１３やＨＤＤ（Hard Disk Drive）１１４を制御する。
【手続補正３】
【補正対象書類名】明細書
【補正対象項目名】００５３
【補正方法】変更
【補正の内容】
【００５３】
一方、電力貸し出し肯定応答受信を待つためのタイマがタイムアウトにならず（ステップＳ５０６でＮＯ）、肯定応答を受信すると（ステップＳ５０７でＹＥＳ）、電力貸借表３０３の借り受け電力及び借り受け先を設定する（ステップＳ５０８）。上記ステップＳ５０５からステップＳ５０８は、予想最大消費電力が、実効電力より大きいと判別されたときに、他の電子機器が使用可能な電力から、要求された処理の実行に要する電力を借り受ける手段に対応する。
【手続補正４】
【補正対象書類名】明細書
【補正対象項目名】００６０
【補正方法】変更
【補正の内容】
【００６０】
図７において、電力貸し出し要求を受信したか否か判別する（ステップＳ６０１）。ステップＳ６０１の判別の結果、電力貸し出し要求を受信していないときは（ステップＳ６０１でＮＯ）、ステップＳ６０８に進む。
【手続補正５】
【補正対象書類名】特許請求の範囲
【補正対象項目名】全文
【補正方法】変更
【補正の内容】
【特許請求の範囲】
【請求項１】
他の電子機器と通信可能な電子機器であって、
前記電子機器で使用可能な電力の上限を示す上限電力値を設定する設定手段と、
要求された処理を前記電子機器が実行したときの予想最大消費電力が、前記設定手段によって設定された前記上限電力値を超える場合に、前記他の電子機器から、前記要求された処理の実行に要する電力を借り受けて前記上限電力値を変更する変更手段と、
前記変更手段によって変更された前記上限電力値の範囲で、前記要求された処理を実行する実行手段と、
を備えたことを特徴とする電子機器。
【請求項２】
前記電子機器が実行する処理の種類毎に、当該処理の実行に要する電力を対応付けて記憶する記憶手段をさらに備え、
前記予想最大消費電力は、前記記憶手段を参照して算出される、ことを特徴とする請求項１記載の電子機器。
【請求項３】
前記実行手段により前記要求された処理を実行するときに、前記他の電子機器に、前記要求された処理の実行に要する電力を借り受けたことを通知する通知手段をさらに備え、
前記他の電子機器は、前記通知手段からの通知に基づいて、前記他の電子機器に設定されている前記他の電子機器で使用可能な電力の上限を示す上限電力値を変更する、ことを特徴とする請求項１または２記載の電子機器。
【請求項４】
前記他の電子機器から電力を借りることが可能な期間が予め定められており、
前記変更手段は、前記要求された処理を実行する時間が前記期間内である場合に、前記他の電子機器で使用可能な電力の上限を示す上限電力値から、前記要求された処理の実行に要する電力を借り受ける、ことを特徴とする請求項１乃至３のいずれか１項に記載の電子機器。
【請求項５】
前記変更手段は、複数の前記他の電子機器から前記要求された処理の実行に要する電力を借り受ける、ことを特徴とする請求項１乃至４のいずれか１項に記載の電子機器。
【請求項６】
他の電子機器と通信可能な電子機器であって、
前記他の電子機器から電力の貸し出しを要求された場合に、要求された電力が貸し出し可能な電力より小さいか否か判別する判別手段と、
前記判別手段により、前記要求された電力が、前記貸し出し可能な電力より小さいと判別されたときに、前記電力の貸し出しを要求した前記他の電子機器へ前記要求された電力を貸し出す貸し出し手段と、
を備えたことを特徴とする電子機器。
【請求項７】
前記貸し出し可能な電力は、所定の電力量から、予め定められた基本処理の実行に要する電力を引いた最大消費電力であることを特徴とする請求項６記載の電子機器。
【請求項８】
前記貸し出し手段により、前記電力の貸し出しを要求した前記他の電子機器へ前記要求された電力を貸し出してから予め定められた期間内に、前記電力の貸し出しを要求した前記他の電子機器から電力の借り受けを開始することが通知されない場合には、電力の貸し出しを取り消す、ことを特徴とする請求項６または７記載の電子機器。
【請求項９】
他の電子機器と通信可能な電子機器の制御方法であって、
前記電子機器で使用可能な電力の上限を示す上限電力値を設定する設定ステップと、
要求された処理を前記電子機器が実行したときの予想最大消費電力が、前記設定ステップによって設定された前記上限電力値を超える場合に、前記他の電子機器から、前記要求された処理の実行に要する電力を借り受けて前記上限電力値を変更する変更ステップと、
前記変更ステップによって変更された前記上限電力値の範囲で、前記要求された処理を実行する実行ステップと、
を備えたことを特徴とする制御方法。
【請求項１０】
他の電子機器と通信可能な電子機器の制御方法であって、
前記他の電子機器から電力の貸し出しを要求された場合に、要求された電力が貸し出し可能な電力より小さいか否か判別する判別ステップと、
前記判別ステップにより、前記要求された電力が、前記貸し出し可能な電力より小さいと判別されたときに、前記電力の貸し出しを要求した前記他の電子機器へ前記要求された電力を貸し出す貸し出しステップと、
を備えたことを特徴とする制御方法。
【請求項１１】
他の電子機器と通信可能な電子機器の制御方法をコンピュータに実行させるためのプログラムであって、
前記制御方法は、
前記電子機器で使用可能な電力の上限を示す上限電力値を設定する設定ステップと、
要求された処理を前記電子機器が実行したときの予想最大消費電力が、前記設定ステップによって設定された前記上限電力値を超える場合に、前記他の電子機器から、前記要求された処理の実行に要する電力を借り受けて前記上限電力値を変更する変更ステップと、
前記変更ステップによって変更された前記上限電力値の範囲で、前記要求された処理を実行する実行ステップと、
を備えたことを特徴とするプログラム。
【請求項１２】
他の電子機器と通信可能な電子機器の制御方法をコンピュータに実行させるためのプログラムであって、
前記制御方法は、
前記他の電子機器から電力の貸し出しを要求された場合に、要求された電力が貸し出し可能な電力より小さいか否か判別する判別ステップと、
前記判別ステップにより、前記要求された電力が、前記貸し出し可能な電力より小さいと判別されたときに、前記電力の貸し出しを要求した前記他の電子機器へ前記要求された電力を貸し出す貸し出しステップと、
を備えたことを特徴とするプログラム。